【手続補正書】
【提出日】平成15年12月19日(2003.12.19)
【手続補正１】
【補正対象書類名】明細書
【補正対象項目名】全文
【補正方法】変更
【補正の内容】
【発明の名称】昇降式吊り戸棚
【特許請求の範囲】
【請求項１】下方を開放した外キャビネット内にスライド自在に内キャビネットを設け、内キャビネットを昇降させ、かつ、所望の箇所で停止可能な駆動装置を設け、
内キャビネットの下方中央に設けた操作ハンドルの中央に、操作ハンドルを握った儘指で、駆動装置の昇降及び停止させることのできる操作スイッチを設けたことを特徴とする昇降式吊り戸棚。
【請求項２】下方を開放した外キャビネット内にスライド自在に内キャビネットを設け、内キャビネットを昇降させ、かつ、所望の箇所で停止可能な駆動装置を設けたものであって、
外キャビネットと内キャビネットの両側面の向き合う面に互いに嵌り合うスライドガイドを設けてスライド自在とし、駆動装置は外キャビネット天板の下面に配置された支持部材に取り付けられた減速機構を組み込んだモータと、このモータの出力軸に固定された主動歯車、この主動歯車に噛合させ相互に反転可能な一対の従動歯車と、夫々の従動歯車の回転軸に固定されたプーリと、両側に配置されたガイドプーリ、プーリに一端を固定し、他端をガイドプーリを介して内キャビネットの天板に固定したベルトとからなり、
内キャビネットに設けた操作ハンドルを握った儘指で、駆動装置の昇降及び停止させる操作スイッチを設けたことを特徴とする昇降式吊り戸棚。
【請求項３】内キャビネット内への乾燥機を天板に臨むように設けて食器乾燥庫としたことを特徴とする請求項１又は請求項２記載の昇降式吊り戸棚。
【請求項４】内キャビネットの操作ハンドルを肉太で比較的長く構成し、一側前面に乾燥機のスイッチ群を設けたことを特徴とする請求項１記載の昇降式吊り戸棚。
【請求項５】内キャビネット内に上下二段の棚板を配置し、少なくとも下段の棚板には通孔を備えたものとし、下段の棚板の下には傾斜する水受けプレートを配し、前面より抜き取り自在な集水トレ−に案内するようにしたことを特徴とする請求項１、請求項２又は請求項４記載の昇降式吊り戸棚。
【請求項６】内キャビネットの操作ハンドルには、昇降させるための操作スイッチが突出するように設けられ、このスイッチは常態では床面と平行で、起すと内キャビネットを上昇させ、倒すと内キャビネットが下降するようにしたことを特徴とする請求項１及び請求項４記載の昇降式吊り戸棚。
【発明の詳細な説明】
【０００１】
【発明の属する技術分野】
この発明は、システムキッチンの一部を構成するウオールキャビネットや流し台、調理台、ガス台の上部に一連に配置される吊り戸棚の一部或いは全部に採用される昇降式吊り戸棚に関するものである。
そして、吊り戸棚をアイレベルに下降させることで食器収納庫として、また食器収納乾燥庫として有効に活用することができるようにした。
また、この昇降式吊り戸棚を、シンク或いは食器洗浄機に近接して配置することで、シンク回りをすっきりさせ見栄えを良くすると共に、調理作業の効率を図ることができるのである。
すなわち、従来は洗浄の済んだ濡れた食器をカウンターに置かれる網籠やシンクに掛け渡した水切りプレートに並べることで乾燥させていたので、厨房家具における調理面、カウンター面を狭くしがちであったからである。
【０００２】
【従来の技術】
従来よりシステムキッチンなどの厨房家具の上部には壁面或いは天井に吊り下げ固定する収納庫としての吊り戸棚を配置するようにしていた。
吊り戸棚は上部で、出し入れが面倒となるので、使用頻度の低い調理器具や食器などを納めることが多かった。そして、吊り戸棚の奥や上部に多くの物品を乱雑に納めてしまうと、目が届かないのでその儘失念してしまうことにもなりかねなかった。
日常頻繁に用いる食器や小型の鍋、箸、スプーンを流し台、食器洗浄機に近接して乾燥させつつ収納して置くのは、使い勝手の面から望ましい。
そこで、吊り戸棚の有効活用を図るために、吊り戸棚を全体として昇降自在としたり、吊り戸棚より手前に旋回下降することのできるプラスチック製のラックを収納し、扉を開けアイレベルまでラックを下降させる構造の吊り戸棚が提案され、実用化されている。
【０００３】
さらには、下方を開放した外キャビネット内に、スライド自在に内キャビネットを設け、内キャビネットを昇降させる駆動装置と内キャビネットに臨む乾燥機を設けて乾燥庫として吊り戸棚が提案されている（特開平１１−９３５５号、特開平１１−２０６４７５号、特開平１１−２０６４７６号、特開平１１−２０６４７７号、特開平１１−２２９７９１号、特開平１１−２２９８００号等）。
【０００４】
この昇降式吊り戸棚１は、概略図４、図５に示す通りのもので、外キャビネット２と内キャビネット３からなり、それらの両側面の向き合う面に互いに嵌り合うスライドガイド２１、３１を設けてあり、内キャビネット２を昇降させるための駆動装置４は外キャビネット２の天板の下面に配置された支持部材に取り付けられた減速機構を組み込んだモータ４１と、このモータ４１の出力軸に固定された主動歯車４２、この主動歯車４２に噛合させ相互に反転可能な従動歯車４３、４３と、夫々の従動歯車４３、４３の回転軸に固定されたプーリ４４、４４と、両側に配置されたガイドプーリ４５、４５と、プーリ４４、４４に一端を固定し、他端をガイドプーリ４５、４５を介して内キャビネット３の天板に固定したベルト４６、４６とからなるものである。
【０００５】
内キャビネット３の天板上の支持部材には乾燥機５を設けてある。この乾燥機５はヒーターとファンからなるもので、内キャビネット３の内部に温風を供給して、内部に納める食器や調理用具を乾燥させる。
この乾燥機５は内キャビネット３の天板に穿った開口に臨むよう設けてある。
【０００６】
【発明が解決しようとする課題】
この発明は、このような従来の昇降式吊り戸棚１における、操作性の向上を目的に開発したものである。
駆動装置を電気的に作動させるようにするのであれば、押しボタンスイッチなどを内キャビネットの前面に配置すれば簡便なようであるが、内キャビネットの上昇下降を体感しながら、しかも、操作ハンドルに機能を集中した方が操作性が極めてよくなることに思いを致し、操作ハンドルを内キャビネットの下方前面に突出させ、この前面に全ての操作手段を集約するようにしたのである。
【０００７】
【課題を解決するための手段】
上述の目的を達成するためこの請求項１の発明の要旨とするのは、下方を開放した外キャビネット内にスライド自在に内キャビネットを設け、内キャビネットを昇降させ、かつ、所望の箇所で停止可能な駆動装置を設け、内キャビネットの下方中央に設けた操作ハンドルの中央に、操作ハンドルを握った儘指で、駆動装置の昇降及び停止させることのできる操作スイッチを設けたことを特徴とするものである。
【０００８】
請求項２の発明は、下方を開放した外キャビネット内にスライド自在に内キャビネットを設け、内キャビネットを昇降させ、かつ、所望の箇所で停止可能な駆動装置を設けたものであって、外キャビネットと内キャビネットの両側面の向き合う面に互いに嵌り合うスライドガイドを設けてスライド自在とし、駆動装置は外キャビネット天板の下面に配置された支持部材に取り付けられた減速機構を組み込んだモータと、このモータの出力軸に固定された主動歯車、この主動歯車に噛合させ相互に反転可能な一対の従動歯車と、夫々の従動歯車の回転軸に固定されたプーリと、両側に配置されたガイドプーリ、プーリに一端を固定し、他端をガイドプーリを介して内キャビネットの天板に固定したベルトとからなり、内キャビネットに設けた操作ハンドルを握った儘指で、駆動装置の昇降及び停止させる操作スイッチを設けたことを特徴とするものである。
【０００９】
請求項３の発明の要旨とするのは、内キャビネット内への乾燥機を天板に臨むように設けて食器乾燥庫としたことを特徴とするものである。
請求項４の発明の要旨とするのは、内キャビネットの操作ハンドルを肉太で比較的長く構成し、一側前面に乾燥機のスイッチ群を設けたことを特徴とするものである。
【００１０】
請求項５の発明の要旨とするのは、内キャビネット内に上下二段の棚板を配置し、少なくとも下段の棚板には通孔を備えたものとし、下段の棚板の下には傾斜する水受けプレートを配し、前面より抜き取り自在な集水トレ−に案内するようにしたことを特徴とするものである。
請求項６の発明の要旨とするのは、内キャビネットの操作ハンドルには、昇降させるための操作スイッチが突出するように設けられ、このスイッチは常態では床面と平行で、起すと内キャビネットを上昇させ、倒すと内キャビネットが下降するようにしたことを特徴とするものである。
【００１１】
【発明の実施の形態】
以下図面に示すこの発明の実施の形態に則して説明する。
昇降装置及び乾燥機は従来のものとほぼ同様な構成のものを採用すれば足りるので詳細な説明は省略する。
図１は昇降式吊り戸棚１の内キャビネット３を下降させた状態の正面図で、図２は同じく下降させ、外キャビネット２の前面扉を開いた状態の概略断面図である。
外キャビネット２は下方を開放したもので、前面上部には幕板２３及び矩形の枠に透光性を備えたプラスチック或いはガラスを嵌め込んだ開閉自在な扉２４を設けてある。幕板２３の左右にはルーバー或いは穴を穿って昇降装置のモータの熱を逃がすようにしてある。透光性を備えた部材を嵌め込んだのは内部への収納状態を透かして確認できるようにするためである。
【００１２】
内キャビネット３は、天井或いは壁面に固定される外キャビネット２内で昇降するもので、その天板３３上にはヒータ及びファンからなる乾燥機５を載置して、温風が内部に供給されるようになっている。
内キャビネット３の側板３４、３４間の前後には必要に応じて複数対の金属製の棚受け３５、３５を取り付け固定するようにし、この棚受け３５、３５に跨がるように棚板３６を取り外し自在に嵌め込むようにする。
棚板３６はパンチングメタルや網のように通孔を備えたものから形成するもので、下段の棚板３６の下には樹脂製で中央を低くした傾斜面を備えた水受皿３７を設け、この水受皿３７の中央下部に、前面より引き出し自在な集水トレー３８を配置している。なお、乾燥機５を備えないものであれば、上部の棚板３６は通孔を備えないものであってもよい。
下段の棚板３７には線材をコ字状に屈曲して形成する皿立て３７ａを櫛比するように起立させてある。上段の棚板３７の下にはまな板掛け具３７ｂを提げるように設けてある。
【００１３】
内キャビネット３の下面奥長手方向には、手暗がりを避けるための蛍光灯などの照明器具６を設けるようにしてある。
そして、内キャビネット３の下面手前側には、比較的大型でコ字状をなし、握り部位が断面円形或いは楕円形というように握り易いように、しかも、内キャビネット３の前面より突出しないようにした操作ハンドル７を設けるようにする。
【００１４】
この操作ハンドル７の中央前面には、突出する起倒自在な操作スイッチ８を設けてある。この操作スイッチ８は常態では床面と平行となって停止するようになっており、起倒するとスイッチが投入されるようになっており、起すと内キャビネット３を上昇させ、倒すと内キャビネット３が下降するように内キャビネット３の昇降動作に合わせて上下させるようにしてある。
さらに、この操作ハンドル７の一側前面には、乾燥機５及び照明器具６用のタッチパネル式などで構成したスイッチ群９、９や必要に応じて乾燥機５の作動状態を表わす表示ランプなどを設けるようにしている。
【００１５】
【発明の効果】
この発明は以上のような構成からなるもので、請求項１及び請求項２の発明では、内キャビネットの下方中央に設けた操作ハンドルの中央に、操作ハンドルを握った儘指で、駆動装置の昇降及び停止させることのできる操作スイッチを設けたので昇降させる動作が流れるように連続的となり使い勝手が良好となるのである。
【００１６】
請求項３の発明は、内キャビネット内への乾燥機を天板に臨むように設けて食器乾燥庫としたもので、昇降式吊り戸棚内の有効活用に資するのである。
請求項４の発明では、内キャビネット内への乾燥機を設けて食器乾燥庫とし、操作ハンドルを肉太で比較的長く構成し、一側前面に乾燥機のスイッチ群を設けたので、内キャビネットを上昇させてから、握った手を横にスライドさせることで乾燥機のスイッチを投入できることになる。
請求項５の発明は、内キャビネット内に上下二段の棚板を配置したもので、棚板全部を通孔を備えたものであれば、乾燥機を備えたものに適するもので、乾燥機を備えないものであっても下段の棚板に通孔を備えており、傾斜する水受けプレートを配し、前面より抜き取り自在な集水トレ−に案内するようにしたもので、滴り落ちる水を簡単に除去することができることになる。
請求項６の発明は、内キャビネットの操作ハンドルには、昇降させるための操作スイッチが突出するように設けられ、このスイッチは常態では床面と平行で、起すと内キャビネットを上昇させ、倒すと内キャビネットが下降するようにしたもので、昇降動作に合わせた操作が可能となるので、昇降を体感しながらの操作となるのである。
【図面の簡単な説明】
【図１】この発明に係る昇降式吊り戸棚の正面図である。
【図２】図１の概略縦断面図である。
【図３】操作ハンドルの正面図である。
【図４】従来の昇降式吊り戸棚の斜視図である。
【図５】従来の昇降式吊り戸棚の昇降機構の要部を示す断面図である。
【符号の説明】
１  昇降式吊り戸棚
２  外キャビネット
３  内キャビネット
４  駆動装置
５  乾燥機
６  照明器具
７  操作ハンドル
８  操作スイッチ